(57)【要約】【課題】沈胴可能な撮影レンズを持つカメラにおいて、撮影する際の電源オン時の立ち上げ時間を短縮する。【解決手段】レンズアダプタ１５がカメラに装着されているか否かを検出する検出スイッチＳＷ６、ＳＷ７を設け、ＣＰＵ３０は、電源オフ時、検出スイッチＳＷ６、ＳＷ７によりレンズアダプタ１５の非装着が検出された場合には撮影レンズ１２を所定の沈胴位置に繰り込み、検出スイッチＳＷ６、ＳＷ７によりレンズアダプタ１５の装着が検出された場合には撮影レンズ１２を沈胴位置に繰り込まないように制御する。また、電源オフ時の撮影レンズ１２の沈胴動作を行うか否かを画面操作ボタンＳＷ４によってユーザが選択可能に構成してもよい。レンズアダプタ１５としては、レンズフードやレンズコンバータ等がある。【選択図】  図１
2004347671.tif 000002
【特許請求の範囲】
【請求項１】
沈胴可能な撮影レンズを持つとともに、撮影位置に繰り出された前記撮影レンズの周囲を覆うレンズアダプタの着脱が可能なカメラにおいて、
カメラの電源オン及び電源オフを切り替える電源スイッチと、
前記レンズアダプタがカメラに装着されているか否かを検出する検出手段と、
電源オフ時、前記検出手段により前記レンズアダプタの非装着が検出された場合には前記撮影レンズを所定の沈胴位置に繰り込むとともに、前記検出手段により前記レンズアダプタの装着が検出された場合には前記撮影レンズを沈胴位置に繰り込まないように制御する制御手段と、
を備えたことを特徴とするカメラ。
【請求項２】
前記レンズアダプタは、テレコンバージョンレンズ、ワイドコンバージョンレンズ等のレンズコンバータ、又はレンズフードであることを特徴とする請求項１に記載のカメラ。
【請求項３】
沈胴可能な撮影レンズを持つカメラにおいて、
カメラの電源オン及び電源オフを切り替える電源スイッチと、
電源オフ時に沈胴動作をするか否かが設定操作される設定操作手段と、
電源オフ時、前記設定操作手段により前記沈胴動作をする設定がされている場合には前記撮影レンズを所定の沈胴位置に繰り込むとともに、前記設定操作手段により前記沈胴動作をしない設定がされている場合には前記撮影レンズを沈胴位置に繰り込まないように制御する制御手段と、
を備えたことを特徴とするカメラ。
【請求項４】
前記制御手段は、前記撮影レンズを沈胴位置に繰り込んだか否かを示す沈胴情報を不揮発性メモリに記憶するとともに、電源オン時に前記不揮発性メモリの沈胴情報を読み出して前記撮影レンズが沈胴位置に繰り込まれている場合に前記撮影レンズを繰り出すようにしたことを特徴とする請求項１、２又は３に記載のカメラ。
【発明の詳細な説明】
【０００１】
【発明の属する技術分野】
本発明はカメラに係り、特に、沈胴可能な撮影レンズを持つカメラに関する。
【０００２】
【従来の技術】
従来、沈胴可能な撮影レンズを持つカメラでは、一般に、撮影レンズを保護するため、電源オフ状態では、撮影レンズをカメラボディ内の所定の沈胴位置に、常に、繰り込んでおくようになっていた。
【０００３】
このような沈胴可能な撮影レンズを持つカメラにおいて、再生する際の起動時間を短縮するため、再生モードで起動したとき撮影レンズが所定の沈胴位置にない場合には撮影レンズを沈胴位置に繰り込み、撮影レンズが既に沈胴位置にある場合には撮影レンズを沈胴位置のままで移動させないようにしたものが提案されている（特許文献１を参照）。また、撮影モードから再生モードへの移行の際に、直ぐに撮影レンズを沈胴位置に繰り込むのではなく、直前に撮影した画像とは異なる画像を再生した場合や、再生モードが所定時間継続した場合には撮影レンズを沈胴位置に繰り込み、再生モードから撮影モードに直ぐに戻される場合には撮影レンズを移動させないようにしたものも提案されている（特許文献２を参照）。
【０００４】
また、ユーザの撮影意図に対応したレンズコンバータ等のレンズアダプタを、カメラボディの前面に着脱自在に取り付けるようにしたカメラが提供されている（例えば特許文献３を参照）。
【０００５】
【特許文献１】
特開２００１−３２６８３９号公報
【０００６】
【特許文献２】
特開２００１−３２６８４９号公報
【０００７】
【特許文献３】
特開２０００−３３０１７９号公報
【０００８】
【発明が解決しようとする課題】
撮影レンズの沈胴機能は、撮影レンズを外部から保護して携帯性を高める上で有用である一方、撮影する際の電源オン時の立ち上げに時間がかかり、シャッタチャンスを逃すことにつながる。
【０００９】
前述した従来のカメラでは、再生する際の起動時間の短縮を目的としたものはあるが、電源オフ状態では撮影レンズが常に沈胴位置に繰り込まれた状態になり、したがって、撮影する際の電源オン時には一律に撮影レンズが繰り出されるので、撮影準備が整うまでに時間がかかってしまうことになっていた。特に、レンズアダプタの着脱が可能なカメラにおいては、ユーザの意図によりレンズアダプタが撮影レンズの周囲を覆うように装着され、このようなレンズアダプタの装着状態が継続するような場合にも、撮影する際の立ち上げに時間がかかっていた。
【００１０】
本発明はこのような事情に鑑みてなされたもので、沈胴可能な撮影レンズを持つカメラにおいて、撮影する際の電源オン時の立ち上げ時間を短縮し、シャッタチャンスを逃さないようにすることができるカメラを提供することを目的とする。
【００１１】
【課題を解決するための手段】
前記目的を達成するために、請求項１に記載の発明は、沈胴可能な撮影レンズを持つとともに、撮影位置に繰り出された前記撮影レンズの周囲を覆うレンズアダプタの着脱が可能なカメラにおいて、カメラの電源オン及び電源オフを切り替える電源スイッチと、前記レンズアダプタがカメラに装着されているか否かを検出する検出手段と、電源オフ時、前記検出手段により前記レンズアダプタの非装着が検出された場合には前記撮影レンズを所定の沈胴位置に繰り込むとともに、前記検出手段により前記レンズアダプタの装着が検出された場合には前記撮影レンズを沈胴位置に繰り込まないように制御する制御手段を備えたことを特徴としている。
【００１２】
本発明によれば、レンズアダプタがカメラに非装着の状態では、検出手段によりレンズアダプタの非装着が検出されて、電源オフ時に撮影レンズが自動的に沈胴位置に繰り込まれる。また、ユーザがレンズアダプタをカメラに装着した状態では、検出手段によりレンズアダプタの装着が検出されて、電源オフ時には撮影レンズが繰り込まれないことになる。したがって、レンズアダプタがカメラに装着された状態が継続する場合、電源オン時における撮影レンズの繰り出しが省略されることになり、撮影する際の立ち上げ時間が短縮され、シャッタチャンスを逃さないようにすることができる。また、ユーザは、撮影する際の立ち上げ時間をあまり気にすることなく電源のオフ及びオンをすることができるので、省電力になる。
【００１３】
前記レンズアダプタとしては、請求項２に示すように、テレコンバージョンレンズ、ワイドコンバージョンレンズ等のレンズコンバータ、レンズフード等がある。
【００１４】
また、請求項３に記載の発明は、沈胴可能な撮影レンズを持つカメラにおいて、カメラの電源オン及び電源オフを切り替える電源スイッチと、電源オフ時に沈胴動作をするか否かが設定操作される設定操作手段と、電源オフ時、前記設定操作手段により前記沈胴動作をする設定がされている場合には前記撮影レンズを所定の沈胴位置に繰り込むとともに、前記設定操作手段により前記沈胴動作をしない設定がされている場合には前記撮影レンズを沈胴位置に繰り込まないように制御する制御手段を備えたことを特徴としている。
【００１５】
本発明によれば、撮影レンズの沈胴動作をする設定がされた状態では、電源オフ時に撮影レンズが自動的に沈胴位置に繰り込まれる。また、撮影レンズの沈胴動作をしない設定がされた状態では、電源オフ時に撮影レンズが繰り込まれないことになる。したがって、レンズアダプタがカメラに装着された状態が継続する場合、電源オン時の撮影レンズの繰り出しが省略されることになり、撮影する際の立ち上げ時間が短縮され、シャッタチャンスを逃さないようにすることができる。また、ユーザは、撮影する際の立ち上げ時間をあまり気にすることなく電源のオフ及びオンをすることができるので、省電力になる。特に、撮影位置に繰り出された撮影レンズの周囲を覆うように装着されるレンズアダプタの着脱が可能なカメラにおいて有用である。
【００１６】
また、請求項４に記載の発明は、請求項１、２又は３に記載の発明において、前記制御手段は、前記撮影レンズを沈胴位置に繰り込んだか否かを示す沈胴情報を不揮発性メモリに記憶するとともに、電源オン時に前記不揮発性メモリの沈胴情報を読み出して前記撮影レンズが沈胴位置に繰り込まれている場合に前記撮影レンズを繰り出す構成となっている。
【００１７】
この構成によって、電源オン時、撮影レンズが必要に応じて撮影位置に確実に繰り出される。
【００１８】
【発明の実施の形態】
以下添付図面に従って本発明に係るカメラの好ましい実施の形態について詳説する。
［第１の実施の形態］
図１は本発明に係るカメラの第１の実施の形態の内部構成を示したブロック図である。
【００１９】
図１において、撮影レンズ１２は、沈胴可能であり、モータ３４の駆動によって所定の撮影位置への繰り出し及び所定の沈胴位置への繰り込みがされる。撮影レンズ１２は、撮影位置ではカメラボディ外に一部が露出した状態となり、沈胴位置ではカメラボディ内に全部が沈んだ状態になる。
【００２０】
レンズアダプタ１５は、カメラボディの前面に着脱自在に取り付けられることにより、撮影レンズ１２の前方に配置される。このレンズアダプタ１５がカメラに装着された状態では、撮影位置に繰り出された撮影レンズ１２の周囲の全部又は大部分が覆われた状態になる。レンズアダプタ１５として、本実施の形態では、テレコンバージョンレンズ、ワイドコンバージョンレンズ等のレンズコンバータと、レンズフードがある。
【００２１】
また、レンズアダプタ１５のカメラへの装着形態としては、直接的にカメラボディの前面に装着される形態と、リング状の介装部材を介して間接的にカメラボディの前面に装着される形態がある。レンズアダプタ１５は、例えばバヨネット結合により取り付けられる。レンズアダプタ１５の装着形態の一例を図２に示す。図２において、レンズフード１５ａは、カメラボディ１００の前面に、直接的に、装着されるとともに、レンズコンバータ１５ｂを装着するための介装部材にもなっている。また、レンズコンバータ１５ｂは、レンズフード１５ａに対して装着することにより、カメラボディ１００の前面に、間接的に、装着されるようになっている。尚、これと異なる装着形態としてもよく、例えばレンズコンバータ１５ｂをカメラボディ１００に直接的に装着してもよい。
【００２２】
電源スイッチＳＷ１は、カメラの電源１１のオフとオンとを切り替えるためのものである。
【００２３】
モード切替スイッチＳＷ２は、カメラの撮影モードと再生モードとを切り替えるものである。また、モードダイヤルＳＷ３は、回動操作することにより、詳細な撮影モードの選択が可能となっている。例えば、静止画撮影モードと動画撮影モードとが切り替え可能である。
【００２４】
画面操作ボタンＳＷ４は、各種のメニューやこれらのメニューに属する各種の画面をＬＣＤモニタ２４に表示させるためのメニューボタンと、ＬＣＤモニタ２４に表示された画面内で項目やこの項目の内容を選択するための十字ボタンと、選択された項目及びこの項目の内容に対応する所定の処理を実行するための実行ボタンを含む。
【００２５】
シャッタボタンＳＷ５は、半押しでオートフォーカスを指示操作するとともに、全押しで撮影を指示操作するものである。
【００２６】
レンズフード検出スイッチＳＷ６は、レンズフードがカメラに装着されているか否かを検出する。また、レンズコンバータ検出スイッチＳＷ７は、レンズコンバータがカメラに装着されているか否かを検出する。尚、レンズコンバータ検出スイッチＳＷ７は、装着されたレンズコンバータがテレコンバージョンレンズであるかワイドコンバージョンレンズであるかを識別可能になっている。
【００２７】
尚、図２に示すレンズコンバータ１５ｂをレンズフード１５ａを介してカメラに装着する形態では、レンズフード検出スイッチＳＷ６によるレンズフード１５ａの検出のみが行われるようにしてもよい。また、レンズコンバータ１５ｂの装着及び非装着とレンズコンバータ１５ｂの種別の検出とがレンズフード１５ａを介して行われるようにしてもよい。
【００２８】
記録メディア２０は、画像及び音声が記録されるものである。例えば、カメラから取り外し可能なメモリカードを用いる。
【００２９】
不揮発性メモリ３１は、撮影レンズ１２を沈胴位置に繰り込んだか否かを示す沈胴情報等を記憶する。
【００３０】
中央処理装置（ＣＰＵ）３０は、電源スイッチＳＷ１、モード切替スイッチＳＷ２、モードダイヤルＳＷ３、画面操作ボタンＳＷ４、シャッタボタンＳＷ５、その他スイッチＳＷｎからの入力に基づいてカメラの各回路を統括制御する。
【００３１】
また、ＣＰＵ３０は、本実施の形態において、電源オフ時、レンズフード検出スイッチＳＷ６及びレンズコンバータ検出スイッチＳＷ７によりレンズアダプタ１５の非装着が検出された場合には、撮影レンズ１２を沈胴位置に繰り込むとともに、レンズアダプタ１５の装着が検出された場合には、撮影レンズ１２を沈胴位置に繰り込まないように制御する。ここで、撮影レンズ１２を繰り出す場合には、ＣＰＵ３０はドライバ３２を介してモータ３４を正転させ、撮影レンズ１２を繰り込む場合には、ドライバ３２を介してモータ３４を逆転させる信号を出力する。
【００３２】
以下、電源オフ時及び電源オン時のＣＰＵ３０による制御について詳細に説明する。
【００３３】
電源スイッチＳＷ１によって電源オフ操作されたとき、ＣＰＵ３０は、図３に示す処理を行う。図３において、まず、レンズアダプタ１５がカメラに装着されているか否かを判断する（Ｓ１１）。図１に示す２つのスイッチ（レンズフード検出スイッチＳＷ６及びレンズコンバータ検出スイッチＳＷ７）で装着検出をするカメラでは、２つのスイッチＳＷ６、ＳＷ７ともに非装着が検出された場合には、レンズアダプタ１５が非装着であると判断し、２つのスイッチＳＷ６、ＳＷ７の少なくとも何れか一方で装着が検出された場合には、レンズアダプタ１５が装着されていると判断する。また、図２に示すレンズフード１５ａを介してレンズコンバータ１５ｂが装着されるカメラでは、レンズフード検出スイッチＳＷ６のみに着目し、レンズフード検出スイッチＳＷ６で非装着が検出された場合にレンズアダプタ１５が非装着であると判断し、レンズフード検出スイッチＳＷ６で装着が検出された場合にレンズアダプタ１５が装着されている（少なくともレンズフード１５ａが装着されている）と判断する。レンズアダプタ１５の非装着が検出された場合には、撮影レンズ１２を所定の沈胴位置に繰り込む（Ｓ１２）。ここで、沈胴情報として、撮影レンズ１２を沈胴位置に繰り込んだことを不揮発性メモリ３１に記憶させる。一方で、レンズアダプタ１５の装着が検出された場合には、レンズアダプタ１５によって撮影レンズ１２が保護されているので、撮影レンズ１２が撮影位置に繰り出された状態であっても、撮影レンズ１２の沈胴は行わない（Ｓ１３）。ここで、沈胴情報として、撮影レンズ１２の沈胴位置への繰り込みを行わなかったことを不揮発性メモリ３１に記憶させる。尚、撮影レンズ１２が電源オフ前に既に沈胴位置にあった場合には、沈胴情報として、撮影レンズ１２が沈胴位置にあることを不揮発性メモリ３１に記憶させておく。
【００３４】
モード設定スイッチＳＷ２で撮影モードが設定された状態で電源スイッチＳＷ１によって電源オン操作されたとき、ＣＰＵ３０は、図４に示す処理を行う。図４において、まず、不揮発性メモリ３１の沈胴情報を読み出して、撮影レンズ１２が沈胴位置に繰り込まれているか否かを判断する（Ｓ２１）。撮影レンズ１２が沈胴位置に繰り込まれている場合には、撮影レンズ１２を所定の撮影位置まで繰り出す（Ｓ２２）。撮影レンズ１２が沈胴位置に繰り込まれていない場合には、撮影レンズ１２の繰り出しを行わない（Ｓ２３）。
【００３５】
撮影レンズ１２が撮影位置に繰り出された状態で、シャッタボタンＳＷ５が半押しされると、ＣＰＵ３０はフォーカス制御を行い、シャッタボタンＳＷ５が全押しされると、ＣＰＵ３０は撮影処理を行う。即ち、ＣＰＵ３０は、露出制御を行い、撮影レンズ１２を介して被写体を固体撮像素子（ＣＣＤ）４４の受光面上に結像させ、撮影時に得られた画像データを記録メディア２０に記録させる。
【００３６】
具体的には、ＣＣＤ４４は、受光面に結像された被写体光をその光量に応じた量の信号電荷に変換する。このようにして蓄積された信号電荷は、その信号電荷に応じた電圧信号として順次読み出される。ＣＣＤ４４から読み出された電圧信号は、相関二重サンプリング回路（ＣＤＳ及びＡＭＰ）４６に加えられ、ここで各画素ごとのＲ、Ｇ、Ｂ信号がサンプリングホールドされるとともに増幅され、Ａ／Ｄ変換器４８に加えられる。Ａ／Ｄ変換器４８は、相関二重サンプリング回路４６から順次加えられるＲ、Ｇ、Ｂ信号を、デジタルのＲ、Ｇ、Ｂ信号に変換して、画像信号処理回路５０に出力する。
【００３７】
画像信号処理回路５０は、Ａ／Ｄ変換器４８から加えられる点順次のＲ、Ｇ、Ｂ信号を同時式に変換する同時化処理、ホワイトバランス調整、ガンマ補正、ＹＣ信号処理等の所定の画像処理を行う。この画像信号処理回路５０のＹＣ信号処理によって作成された輝度信号Ｙと色差信号Ｃｒ、Ｃｂ（ＹＣ信号）は、圧縮・伸長処理回路５２によって所定のフォーマットに圧縮されたのち、メディアコントロール回路５４を介して記録メディア２０に記録される。
【００３８】
尚、動画撮影モードの選択時には、マイク２８から入力された音声信号は、音声処理回路６０によりＡ／Ｄ変換等の処理が行われ、デジタルに変換され、圧縮・伸長処理回路５２によって所定のフォーマットに圧縮された後、画像データと関連付けされて、メディアコントロール回路５４を介して記録メディア２０に記録される。
【００３９】
一方で、モード切替スイッチＳＷ２によって再生モードが設定されると、まず、記録メディア２０に記録されている画像ファイルがメディアコントロール回路５４を介して読み出される。この読み出された画像ファイルの圧縮データは、圧縮・伸長処理回路５２を介して非圧縮のＹＣ信号に伸長される。伸長されたＹＣ信号は、画像再生処理回路５６及びＬＣＤドライブ回路５８を介して、ＬＣＤモニタ２４に出力される。これにより、ＬＣＤモニタ２４には記録メディア２０に記録されている画像が表示される。また、出力端子２２にＴＶモニタが接続されている場合、ＹＣ信号は、画像再生処理回路５６及びビデオエンコード回路５９を介してＮＴＳＣ方式のカラー複合映像信号に変換され、出力端子２２を介してＴＶモニタに出力される。これにより、ＴＶモニタには記録メディア２０に記録されている画像が表示される。
【００４０】
記録メディア２０から読み出した画像データに音声データが関連付けされている場合には、画像データに関連付けされて記録されていた音声データが記録メディア２０からメディアコントロール回路５４を介して読み出される。この圧縮して記録されていた音声データは、圧縮・伸長処理回路５２を介して非圧縮の音声信号に伸長される。伸長された音声データは、音声処理回路６０によりＤ／Ａ変換等の処理が行われ、アナログに変換される。変換された音声信号は、音声再生回路６２により増幅され、スピーカ２６から音声として出力される。
【００４１】
以上説明した第１の実施の形態のカメラによれば、レンズアダプタ１５がカメラに非装着の状態では、レンズアダプタ１５の非装着が検出されて、電源オフ時に撮影レンズ１２が自動的に沈胴位置に繰り込まれる。また、ユーザがレンズアダプタ１５をカメラに装着した状態では、レンズアダプタ１５の装着が検出されて、電源オフ時には撮影レンズ１２が繰り込まれないことになる。したがって、レンズアダプタ１５がカメラに装着された状態が継続する場合、電源オフ時には撮影レンズ１２が繰り込まれないことになる。したがって、レンズアダプタ１５がカメラに装着された状態が継続する場合、電源オン時の撮影レンズの繰り出しが省略されることになり、撮影する際の立ち上げ時間が短縮され、シャッタチャンスを逃さないようにすることができる。また、ユーザは、撮影する際の立ち上げ時間をあまり気にすることなく電源のオフ及びオンをすることができるので、省電力になる。
【００４２】
［第２の実施の形態］
図５は本発明に係る第２の実施の形態のカメラの内部構成を示す要部ブロック図である。尚、図１に示した第１の実施の形態のカメラと共通する部分には同一の符号を付し、その詳細な説明は省略する。
【００４３】
図１に示した第１の実施の形態のカメラは、レンズアダプタ１５の装着を検出するスイッチＳＷ６、ＳＷ７の検出結果に基づいて電源オフ時の沈胴動作をするか否かを判断したが、図５に示す第２の実施の形態のカメラは、電源オフ時の沈胴動作をするか否かを画面操作ボタンＳＷ４によってユーザが設定操作するようにした点で相違する。
【００４４】
図５において、画面操作ボタンＳＷ４は、詳細にはメニューボタン、十字ボタン及び実行ボタンを含む。ユーザが沈胴動作に関する設定操作をする際、ユーザはまずメニューボタンを押す。メニューボタンが押された時、ＣＰＵ３０はＬＣＤモニタ２４にメニューを表示させ、ユーザが十字ボタンによりセットアップを選択した時、ＣＰＵ３０は図６（ａ）に示す「ＳＥＴ−ＵＰ」画面２４０ａをＬＣＤモニタ２４に表示させる。ユーザは、レンズアダプタ１５を既にカメラに装着したか、あるいはこれからレンズアダプタ１５をカメラに装着するとき、図６（ａ）の「ＳＥＴ−ＵＰ」画面２４０ａが表示された状態で、十字ボタンにより「アダプタ設定」２４１ａで「あり」を選択する。ここで、ユーザが実行ボタンを押した時、ＣＰＵ３０は、電源オフ時に沈胴動作をしない旨の指示を、不揮発性メモリ３１に記憶させる。一方で、ユーザは、レンズアダプタ１５を既にカメラから取り外したか、あるいはこれからレンズアダプタ１５をカメラから取り外すとき、「アダプタ設定」２４１ａで「なし」を選択する。ここで、ユーザが実行ボタンを押した時、ＣＰＵ３０は、電源オフ時に沈胴動作をする旨の指示を、不揮発性メモリ３１に記憶させる。すなわち、レンズアダプタ１５をカメラに装着しておくか否かをユーザが設定操作し、ユーザの設定操作に基づいて電源オフ時の沈胴動作の有無を不揮発性メモリ３１に記憶させる。
【００４５】
尚、図６（ａ）に示した「ＳＥＴ−ＵＰ」画面２４０ａは例示であってこれに限定されるものではない。例えば、図６（ｂ）は、カメラボディの前面にレンズフードのみが着脱可能なカメラの「ＳＥＴ−ＵＰ」画面２４０ｂであり、図６（ｃ）は、カメラボディの前面にレンズコンバータのみが着脱可能なカメラの「ＳＥＴ−ＵＰ」画面２４０ｃである。例えば図２に示すレンズフード１５ａを介してレンズコンバータ１５ｂを装着するカメラでは、図６（ｂ）に示す「ＳＥＴ−ＵＰ」画面２４０ｂで設定操作を行うようにしてもよい。また、図６（ａ）の「アダプタ設定」２４１ａ、図６（ｂ）の「レンズフード設定」２４１ｂ、及び図６（ｃ）の「レンズコンバータ設定」２４１ｃは例示であってこれらのように間接的に沈胴動作するか否か選択させる場合に限定されるものではない。例えば、直接ユーザに沈胴動作するか否か選択させるようにしてもよい。
【００４６】
電源スイッチＳＷ１によって電源オフ操作されたとき、ＣＰＵ３０は、図７に示す処理を行う。図７において、まず、不揮発性メモリ３１に記憶された沈胴動作に関する指示を読み出して、撮影レンズ１２の沈胴動作をする設定がされているか否かを判断する（Ｓ３１）。撮影レンズ１２の沈胴動作をする設定がされていた場合には、撮影レンズ１２を所定の沈胴位置に繰り込む（Ｓ３２）。ここで、沈胴情報として、撮影レンズ１２を沈胴位置に繰り込んだことを不揮発性メモリ３１に記憶させる。一方で、撮影レンズの沈胴動作をしない設定がされていた場合には、撮影レンズ１２が撮影位置に繰り出された状態であっても、撮影レンズ１２の沈胴は行わない（Ｓ３３）。ここで、沈胴情報として、撮影レンズ１２の沈胴位置への繰り込みを行わなかったことを不揮発性メモリ３１に記憶させる。尚、撮影レンズ１２が電源オフ直前に沈胴位置にあった場合には、沈胴情報として、撮影レンズ１２が沈胴位置にあることを不揮発性メモリ３１に記憶させておく。
【００４７】
モード設定スイッチＳＷ２で撮影モードが設定された状態で電源スイッチＳＷ１によって電源オン操作されたとき、ＣＰＵ３０は、図８に示す処理を行う。図８において、まず、不揮発性メモリ３１の沈胴情報を読み出して、撮影レンズ１２が沈胴位置に繰り込まれているか否かを判断する（Ｓ４１）。撮影レンズ１２が沈胴位置に繰り込まれている場合には、撮影レンズ１２を所定の撮影位置まで繰り出す（Ｓ４２）。撮影レンズ１２が沈胴位置に繰り込まれていない場合には、撮影レンズ１２の繰り出しを行わない（Ｓ４３）。
【００４８】
図７及び図８は、図６（ａ）に示す「ＳＥＴ−ＵＰ」画面２４０ａで設定操作がされる場合の処理の流れであるが、図６（ｂ）に示す「ＳＥＴ−ＵＰ」画面２４０ｂで設定操作がされた場合には、ステップＳ３１で「アダプタ設定」２４１ａの内容を判断する代わりに図６（ｂ）の「レンズフード設定」２４１ｂの内容を判断する。また、図６（ｃ）に示す「ＳＥＴ−ＵＰ」画面２４０ｃで設定操作がされる場合には、ステップＳ３１で図６（ｃ）の「レンズコンバータ設定」２４１ｃの内容を判断する。
【００４９】
尚、第１及び第２の実施の形態において、レンズアダプタ１５の例としてレンズコンバータとレンズフードを示したが、レンズアダプタはこれに限定されるものではない。本発明のレンズアダプタは、カメラに装着されることにより、撮影位置に繰り出された撮影レンズ１２の周囲の全部又は部分が覆われて撮影レンズ１２が保護される、着脱自在の各種のアタッチメントを含む。例えば、光の偏光、拡散、強調、分割、色温度変換等を行う各種のフィルタや、接写用のレンズであってもよい。
【００５０】
また、第１の実施の形態では、検出スイッチＳＷ６、ＳＷ７によってレンズアダプタ１５の装着及び非装着を検出する例を説明し、第２の実施の形態では、画面操作ボタンＳＷ４によってユーザが設定操作する例を説明したが、本発明はこれらの形態に限らず、検出スイッチによるレンズアダプタ１５の装着検出とユーザの設定操作との両方に基づいて撮影レンズ１２の沈胴動作をするか否かを切り替えるようにしてもよい。例えば、図１において、ユーザが画面操作ボタンＳＷ４を操作すると図６（ａ）の「ＳＥＴ−ＵＰ」画面２４０ａがＬＣＤモニタ２４に表示され、ユーザによって「アダプタ設定」２４１ａが「あり」と選択された場合には、検出スイッチＳＷ６、ＳＷ７の検出結果に関らず沈胴操作を行わず、「アダプタ設定」２４１ａが「なし」と選択された場合には、検出スイッチＳＷ６、ＳＷ７の検出結果に基づいて沈胴動作を行うようにしてもよい。このような構成は、例えばユーザが自作したレンズアダプタを撮影レンズの前方に配置し、このユーザ自作のレンズアダプタが検出スイッチＳＷ６、ＳＷ７に対応していない場合に有用である。
【００５１】
また、撮影に無関係なモードが再生モードのみである場合について説明したが、本発明はこれに限るものではない。例えばモード切替スイッチＳＷ２で撮影モード及び非撮影モードの切り替え操作を行い、モードダイヤルＳＷ３で非撮影モードの詳細な選択を行うようにしてもよい。このような場合、非撮影モードとしては、例えば、画像を再生するための画像再生モード、音声をマイク２８で集音して記録メディア２０に記憶させる録音モード、記録メディア２０に記憶された音声を再生する音声再生モードがある。
【００５２】
また、デジタルカメラを例に説明したが、本発明のカメラはデジタルカメラに限るものではなく、銀塩カメラであってもよい。撮影に無関係なモードがない場合、すなわち撮影モードと非撮影モードとの切り替えがない場合であってもよい。
【００５３】
【発明の効果】
以上説明したように本発明によれば、ユーザがレンズアダプタをカメラに装着した状態が継続する場合等において、電源オフ時の撮影レンズの不要な駆動が省略されるので、撮影する際の電源オン時の撮影レンズの駆動が省略されることになり、立ち上げ時間が短縮されて、シャッタチャンスを逃さないようにすることができる。また、ユーザは、レンズアダプタをカメラに装着したまま、立ち上げ時間をあまり気にすることなく電源のオフ及びオンを繰りかえすことができるので、省電力になる。
【図面の簡単な説明】
【図１】本発明に係る第１の実施の形態のカメラにおける内部構成を示すブロック図
【図２】レンズアダプタの装着形態の例を示す図
【図３】第１の実施の形態のカメラにおける電源オフ時の処理の例を示すフローチャート
【図４】第１の実施の形態のカメラにおける電源オン時の処理の例を示すフローチャート
【図５】本発明に係る第２の実施の形態のカメラにおける内部構成を示すブロック図
【図６】第２の実施の形態のカメラにおける設定操作画面の例を示す図
【図７】第２の実施の形態のカメラにおける電源オフ時の処理の例を示すフローチャート
【図８】第２の実施の形態のカメラにおける電源オン時の処理の例を示すフローチャート
【符号の説明】
ＳＷ１・・・電源スイッチ、ＳＷ２…モード切替スイッチ、ＳＷ３・・・モードダイヤル、ＳＷ４・・・画面操作ボタン（設定操作手段）、ＳＷ５・・・シャッタボタン、ＳＷ６・・・レンズフード検出スイッチ（検出手段）、ＳＷ７・・・レンズコンバータ検出スイッチ（検出手段）、１２・・・撮影レンズ、１５・・・レンズアダプタ、１５ａ・・・レンズフード、１５ｂ・・・レンズコンバータ、２０・・・記録メディア、２４・・・ＬＣＤモニタ、３０…中央処理装置（ＣＰＵ）、３１・・・不揮発性メモリ、３２・・・ドライバ、３４・・・モータ
【図１】
2004347671.tif 000003
【図２】
2004347671.tif 000004
【図３】
2004347671.tif 000005
【図４】
2004347671.tif 000006
【図５】
2004347671.tif 000007
【図６】
2004347671.tif 000008
【図７】
2004347671.tif 000009
【図８】
2004347671.tif 000010